(57)【要約】【課題】送り側でフル映像を送信していない場合に画面端にノイズ表示され画像品位悪化するのを防止することを目的とする。【解決手段】入力された映像信号が静止画か否かを判定する静止画判定手段と、映像信号を一垂直期間毎に記憶する映像信号記憶手段と、静止画判定手段が入力された映像信号が静止画であると判定した場合に、映像信号記憶手段で記憶した一垂直期間毎の映像信号と入力された映像信号のビット毎の排他的論理和をとる比較手段と、比較手段で算出した排他的論理和から入力された映像信号がノイズ信号であるか否かを水平ライン毎に判別するノイズ信号判別手段と、ノイズ信号判別手段がノイズと判定した水平ラインの映像信号をマスクする映像マスクパルスを生成する映像マスクパルス手段と、映像マスクパルスと映像信号を多重する映像マスク手段とを備える。【選択図】図１
2008028611.tif 000002
【特許請求の範囲】
【請求項１】
入力された映像信号が静止画か否かを判定する静止画判定手段と、
映像信号を一垂直期間毎に記憶する映像信号記憶手段と、
前記静止画判定手段が入力された映像信号が静止画であると判定した場合に、前記映像信号記憶手段で記憶した一垂直期間毎の映像信号と入力された映像信号のビット毎の排他的論理和をとる比較手段と、
前期比較手段で算出した排他的論理和から入力された映像信号がノイズ信号であるか否かを水平ライン毎に判別するノイズ信号判別手段と、
前記ノイズ信号判別手段がノイズと判定した水平ラインの映像信号をマスクする映像マスクパルスを生成する映像マスクパルス手段と、
映像マスクパルスと映像信号を多重する映像マスク手段とを備えた映像表示装置。
【請求項２】
前記映像信号記憶手段は、画面上の上下Ｎラインに表示される映像信号を記憶することを特徴とする映像表示装置。
【発明の詳細な説明】
【技術分野】
【０００１】
本発明はテレビジョン受信機や画像モニター等の映像表示装置に関するものである。
【背景技術】
【０００２】
近年デジタル放送などのハイビジョン信号フォーマットである１０８０ｉ（１９２０×１０８０）の放送信号をそのまま表示できる解像度を有するプラズマや液晶などのフラットパネルを使用したデジタルテレビが登場している。これらのテレビでは、通常行われるオーバースキャン表示の他に、拡大表示を行わずに信号と１対１の表示を行うフル映像表示モードを有するものがある。しかしながら、フル映像表示モードで映像を表示するとスイッチングポイントが映像として表示されることを防止する映像表示装置が提案されている（例えば、特許文献１に記載）。
【０００３】
図４は従来の画像表示装置における映像信号と垂直映像ブランキングの関係図である。
【０００４】
従来の画像表示装置は、垂直方向の映像ブランキング生成装置を備え、垂直同期信号１０６から水平同期パルスをカウントし、これが所定値ｎとなると垂直方向の映像ブランキングを強制的にかける。このカウント値ｎを自由設定として、映像表示開始点１０２から映像表示終了点１０３までの映像表示期間を設定する。また、映像入力ごとにパルスカウント値を記憶しておき、映像入力切換えごとにパルスカウント値ｎを読み出して垂直方向の映像ブランキングをかける。このようにしてアスペクト比１６：９の映像をフルモードでＶＴＲに録画し、それをアスペクト比４：３のテレビジョン受信機に垂直偏向幅を縮めて表示する際に、画面に現れるＶＴＲのスイッチングポイント１０５を映像として表示させないようにする。
【特許文献１】特開平５−３３６４６０号公報
【発明の開示】
【発明が解決しようとする課題】
【０００５】
しかしながら、デジタル放送等では放送局から送信される放送信号の映像フォーマットが同一であっても、必ずしもその放送信号によって表示される映像領域は必ずしも同一ではない。具体的には、デジタル放送で受信する放送信号で画面上に表示される上下数ラインの部分について、映像フォーマットの規定の上では映像信号が存在すべき領域であるが、実際の放送信号には映像信号が存在していない、映像欠けの部分が存在する。この映像欠けの領域は、放送局ごとあるいは番組ごとに異なる。
【０００６】
このため、放送信号をそのまま表示できる解像度を有し、信号と１対１の表示を行うフル映像表示モードを有する映像表示において、一定の比率でブランキングパルスの振幅を変えた場合、放送信号によっては表示すべき画像が欠ける、若しくは、ノイズ表示が残ってしまうという課題がある。
【０００７】
本発明の目的は、上記の課題を解決するため、アクティブビデオ期間内の非映像領域を検出し、該当領域を自動的に映像マスクすることにより、放送の送り側でフル映像を送信していない場合に画面端にノイズ表示され画像品位悪化するのを防止可能な映像表示装置を提供することである。
【課題を解決するための手段】
【０００８】
本発明の映像表示装置は、入力された映像信号が静止画か否かを判定する静止画判定手段と、映像信号を一垂直期間毎に記憶する映像信号記憶手段と、静止画判定手段が入力された映像信号が静止画であると判定した場合に、映像信号記憶手段で記憶した一垂直期間毎の映像信号と入力された映像信号のビット毎の排他的論理和をとる比較手段と、比較手段で算出した排他的論理和から入力された映像信号がノイズ信号であるか否かを水平ライン毎に判別するノイズ信号判別手段と、ノイズ信号判別手段がノイズと判定した水平ラインの映像信号をマスクする映像マスクパルスを生成する映像マスクパルス手段と、映像マスクパルスと映像信号を多重する映像マスク手段とを備えるものである。
【０００９】
このように、アクティブビデオ期間内の非映像領域を検出し、該当領域を自動的に映像マスクすることを実現することができる。
【発明の効果】
【００１０】
本発明によれば、アクティブビデオ期間内の非映像領域を検出し、該当領域を自動的に映像マスクするため、フル映像が送信された場合には画面を欠くことなく表示し、放送の送り側でフル映像を送信していない場合には画面端にノイズ表示され画像品位悪化するのを防止することができる。
【発明を実施するための最良の形態】
【００１１】
以下、本発明に係る映像表示装置の一実施例について説明する。なお、本発明が適用される映像表示装置はこの例に特に限定されず、他の映像表示装置にも同様に用いることができる。
【００１２】
（実施の形態１）
図１は、本発明の一実施の形態による映像表示装置の構成を示すブロック図である。
【００１３】
図１に示す映像表示装置は、静止画判定手段１と、映像信号記憶手段２と、現在の映像と映像信号記憶手段２に記憶された映像を比較する比較手段３と、ノイズ信号判別手段４と、映像マスクパルス生成手段５と、映像マスクする映像マスク手段６とからなる。
【００１４】
静止画判定手段１は、所定の周期ごとに入力される映像信号の静止画判定をする。静止画の判定方法としては、例えば入力される映像信号と当該映像信号の一垂直期間前の映像信号の差分値を積分し、所定の閾値より大きければ動画と判断し、所定の閾値より小さければ静止画と判断する。入力される映像信号の静止画判定をした後、結果を比較手段３へ出力する。
【００１５】
映像信号記憶手段２は、入力され画面上に表示される映像信号のうち上下Ｎラインに表示される映像信号を一垂直期間毎に記憶する。すべての映像信号を記憶するのではなく、上下Ｎラインのみを記憶するため、メモリ容量を小型化することができる。また、記憶するライン数Ｎは任意に設定することができる。
【００１６】
比較手段３は、入力される現在の映像信号と映像信号記憶手段２に記憶されている映像信号を入力とし、静止画判定手段１が入力される映像信号が静止画であると判定した期間中は、入力される現在の映像信号のＲ、Ｇ、Ｂ各ビットと映像信号記憶手段２に記憶されている映像信号のＲ、Ｇ、Ｂ各ビットの排他的論理和をとり、Ｒ、Ｇ、Ｂ各ビットについてハイからロー、またはローからハイへ反転した個数を１ドット毎、水平１ライン分、数えてその総数を水平１ライン毎にノイズ判別手段４へ出力する。
【００１７】
ノイズ信号判別手段４は、前記比較手段３から出力される、反転した個数の総数を水平１ライン毎に、複数垂直周期間にわたり閾値と比較し、所定の回数連続して閾値を超えた場合に該当水平ラインがノイズ成分であり、非映像領域であると判別する。そしてその結果を示す情報であるノイズ判別結果信号を映像マスクパルス生成手段５へ出力する。
【００１８】
映像マスクパルス生成手段５は、ノイズ判別結果信号に応じて、画面の上端から、若しくは、下端から、ノイズと判別された水平ライン分、画面の上下端をマスクするマスクパルスを生成する。
【００１９】
映像マスク手段６は、映像信号とマスクパルスを多重することにより、映像信号のノイズ部分はマスクパルスによりマスクされ、ノイズ部分がマスクされた映像信号が出力される。
【００２０】
上記の構成により、図１に示す映像表示装置は、アクティブビデオ期間内の非映像領域を検出し、該当領域を自動的に映像マスクすることが可能である。
【００２１】
次に図１に示す比較手段３についてさらに詳細に説明する。図２は図１に示す比較手段３の構成の一例を示すブロック図である。
【００２２】
図２に示す比較手段３は、論理回路２１、ビットカウンター２２、累積加算器２３を含む。
【００２３】
論理回路２１はｎビットの現映像信号とｎビットの１垂直周期前映像信号を入力とするｎビットの排他的論理和演算子である。各ビットの排他的論理和をとることで、１垂直周期でハイからロー、またはローからハイへ反転したビットは１（ハイ）、変化の発生していないビットは０（ロー）が出力される。ビットカウンター２２は論理回路２１の出力を入力とし、０ビット目から（ｎ−１）ビット目迄を加算することにより、ハイからロー、またはローからハイへ反転したビット数をカウントし結果を出力する。反転ビットのカウントは、Ｒ、Ｇ、Ｂの各映像信号に対して行う。累積加算器２３はＲ、Ｇ、Ｂのビットカウンター２２の出力を入力とし１ドット毎、水平１ライン分の累積加算を行い、結果を出力する。累積加算器２３の出力は水平１ライン分における反転ビットの総数と等しい。
【００２４】
図３は、図１に示す映像表示装置により実行される処理の一例を示すフローチャートである。図３を用いて本実施の形態に記載の映像表示装置の動作について説明する。図３において、チャンネル切換えや番組切換えが発生すると（Ｓ１０１）、垂直周期毎に静止画判定手段１において映像信号が動画であるか静止画であるかの判定を行う（Ｓ１０２）。静止画判定手段１における静止画判定は静止画と判定されるまで繰り返す。静止画判定がされた場合、一画面の上下Ｎライン分の映像に対して、現在の値と一垂直周期前の値に対してビット毎に比較を行い、値の変化の有無を計測し一水平ライン分の変化量を計算する（Ｓ１０３）。次に計測された変化量と予め設定した閾値とを比較する（Ｓ１０４）。閾値の比較は複数垂直周期間にわたり行い、所定の垂直周期回数連続して閾値を超えた場合には、該当水平ラインがノイズ成分であり、非映像領域であると判別する（Ｓ１０５）。連続して閾値を超えた回数が所定の垂直周期回数に満たない間は、連続して閾値を超えた回数をインクリメントカウントし、静止画判定へ戻る（Ｓ１０６）。ノイズ判別結果信号に応じて、画面の上端から、若しくは、下端から、ノイズと判別された水平ライン分、画面の上下端をマスクするマスクパルスを生成する（Ｓ１０７）。生成したマスクパルスにより映像マスクを行う（Ｓ１０８）。そして、映像マスクが維持され、チャンネルが切り換えられると、再び静止画判定する（Ｓ１０９）。
【００２５】
上記のように本実施の形態では、静止画時に画面上下端の映像信号の変化量をモニターすることで、アクティブビデオ期間内の非映像領域を検出し、該当領域を自動的に映像マスクする映像表示装置実現することができる。
【００２６】
本発明によれば、アクティブビデオ期間内の非映像領域を自動的に映像マスクするため、フル映像が送信された場合には画面を欠くことなく表示できる一方、放送局側でフル映像を送信していない場合には画面端に表示されるノイズをマスクすることができる。そのため、放送局側でフル映像を送信していない場合にはであってもノイズの少ない映像を表示することができる。
【産業上の利用可能性】
【００２７】
本発明にかかる映像表示装置は、アクティブビデオ期間内の非映像領域を検出し、該当領域を自動的に映像マスクすることにより、フル映像が送信された場合には画面を欠くことなく表示し、放送の送り側でフル映像を送信していない場合には画面端にノイズ表示され画像品位悪化するのを防止する映像表示装置を提供することができるものであり、テレビジョン受信機や画像モニター等の映像表示装置等において有用である。
【図面の簡単な説明】
【００２８】
【図１】本発明の一実施の形態の構成を示すブロック図
【図２】図１に示す比較手段の構成を示すブロック図
【図３】本発明の一実施の形態の動作を示すフローチャート
【図４】従来技術の映像信号と垂直映像ブランキングの関係図
【符号の説明】
【００２９】
１    静止画判定手段
２    映像信号記憶手段
３    比較手段
４    ノイズ信号判別手段
５    映像マスクパルス生成手段
６    映像マスク手段
２１    論理回路
２２    ビットカウンター
２３    累積加算器
【図１】
2008028611.tif 000003
【図２】
2008028611.tif 000004
【図３】
2008028611.tif 000005
【図４】
2008028611.tif 000006